(57)【要約】【課題】携帯電話機を構成する２つの筐体内に備える回路基板同士を電気的に接続する複数のリード線から輻射されるノイズが無線部に与える影響のバラツキを抑え、電子機器毎の送受信特性を安定させる。【解決手段】２つの筐体１１０，１２０が開閉可能に構成され、各筐体１１０，１２０内に備える回路基板１１５，１２５同士を複数本のリード線１３５を介して電気的に接続するにあたり、各筐体１１０，１２０を連結する連結部１０４に設けられた連通孔１４４ａ内に挿通された前記リード線１３５が連通孔開口部から各回路基板１１５，１２５上のコネクタ受部１１６，１２６に至るまでの間に、前記リード線１３５の道筋を規制する案内部材１５０，１６０を設ける。【選択図】図３
2005101774.tif 000002
【特許請求の範囲】
【請求項１】
回路基板をそれぞれ内蔵した２つの筐体を連結部を介して開閉可能に連結してなり、前記２つの筐体のうちいずれか一方の筐体に備える回路基板に無線部を備える携帯機器であって、
前記連結部は前記各筐体内とそれぞれ連通する連通孔を備え、当該連通孔内に挿通される複数のリード線を介して前記各筐体内にそれぞれ備える回路基板同士を電気的に接続すると共に、前記回路基板に前記連通孔の開口部から延出される複数のリード線を前記回路基板との接続部まで案内する案内部材を設けたことを特徴とする携帯機器。
【請求項２】
互いに重ね合わせ可能な２つの筐体と、これら２つの筐体の重ね合わせ方向に沿う軸線を中心に前記２つの筐体を回動可能に連結する連結部とを有し、前記２つの筐体内には回路基板を有すると共に、前記２つの筐体のうちいずれか一方の筐体に備える回路基板に無線部を備える携帯機器であって、
前記連結部は前記第１筐体内及び前記第２筐体内とそれぞれ連通する連通孔を備えると共に、当該連通孔内には前記第１筐体内及び第２筐体内にそれぞれ備える回路基板同士を電気的に接続する複数のリード線を挿通させ、かつ前記連通孔開口部から送出される複数のリード線を回路基板との接続部まで案内する案内部材を設けたことを特徴とする携帯機器。
【発明の詳細な説明】
【技術分野】
【０００１】
本発明は、２つの筐体が開閉可能に連結された携帯電話機、ＰＤＡ（Personal Digital Assistants）、ノートパソコン等の携帯機器に関するものである。
【背景技術】
【０００２】
従来、２つの筐体が開閉可能に連結された携帯電話機、ＰＤＡ、ノートパソコン等の携帯機器では、２つの筐体内に備える回路基板同士を電気的に接続する手段としてフレキシブル基板が一般的に用いられているが、携帯機器の構造によってはフレキシブル基板を用いることが難しい場合があり、このような場合には複数本のリード線を介して２つの筐体内に備える回路基板同士を電気的に接続するようになっていた。
【０００３】
例えば、特許文献１に開示されるような、互いに重ね合わせ可能な２つの筐体と、これら２つの筐体の重ね合わせ方向に沿う軸線を中心に前記２つの筐体を回転可能に連結する連結軸とを有する携帯無線電話機においては、各筐体内に備える回路基板同士を電気的に接続する手段として、連結軸に各筐体内とそれぞれ連通する連通孔を設け、この貫通孔内に挿通させた複数本のリード線を介して各回路基板と電気的に接続するようになっていた。
【特許文献１】特開平７−２８８８６０号公報
【発明の開示】
【発明が解決しようとする課題】
【０００４】
しかしながら、２つの筐体内に各々備える回路基板同士を複数本のリード線を介して電気的に接続するにあたり、図５に示すように、連通孔開口部より延出された複数本のリード線５０が回路基板４０との接続部４１に至るまでの間、バラバラに配置されると電子機器毎の安定した送受信特性が得られないといった課題があった。即ち、各リード線から輻射されるノイズが携帯無線電話機に備える無線部の高周波特性に影響を与えるため、各リード線５０がばらけて配置されるとノイズが無線部に与える影響が携帯機器毎に異なることになると共に、場合によっては送受信特性が大きく劣化する恐れもあった。
【課題を解決するための手段】
【０００５】
そこで、上記事情に鑑み、請求項1に係る発明は、回路基板をそれぞれ内蔵した２つの筐体を連結部を介して開閉可能に連結してなり、前記２つの筐体のうちいずれか一方の筐体に備える回路基板に無線部を備える携帯機器であって、前記連結部は前記各筐体内とそれぞれ連通する連通孔を備え、当該連通孔内に挿通される複数のリード線を介して前記各筐体内にそれぞれ備える回路基板同士を電気的に接続すると共に、前記回路基板に前記連通孔の開口部から延出される複数のリード線を前記回路基板との接続部まで案内する案内部材を設けたことを特徴とする。
【０００６】
また、請求項２に係る発明は、互いに重ね合わせ可能な２つの筐体と、これら２つの筐体の重ね合わせ方向に沿う軸線を中心に前記２つの筐体を回動可能に連結する連結部とを有し、前記２つの筐体内には回路基板を有すると共に、前記２つの筐体のうちいずれか一方の筐体に備える回路基板に無線部を備える携帯機器であって、前記連結部は前記第１筐体内及び前記第２筐体内とそれぞれ連通する連通孔を備えると共に、当該連通孔内には前記第１筐体内及び第２筐体内にそれぞれ備える回路基板同士を電気的に接続する複数のリード線を挿通させ、かつ前記連通孔開口部から送出される複数のリード線を回路基板との接続部まで案内する案内部材を設けたことを特徴とする。
【発明の効果】
【０００７】
本発明によれば、連結部に備える連通孔開口部より送出される複数のリード線が回路基板の接続部にまで至る間の道筋を案内部材によって案内するようにしたことから、各リード線から輻射されるノイズが無線部に与える影響を電子機器毎に安定させることができる。その為、電子機器毎の送受信特性が安定し、製品歩留りを向上させることができる。
【０００８】
また、バラバラになり易い複数のリード線を案内部材によってまとめることができるため、組み立て時の配線の取り回しが容易となり、組み立て作業性を向上させることも可能となる。
【発明を実施するための最良の形態】
【０００９】
以下、本発明の実施形態について説明する。
【００１０】
図１は本発明の携帯機器の一例である携帯電話機の閉状態を示す図で、（ａ）は正面側から見た斜視図、（ｂ）は裏面側から見た斜視図である。図２は図1の携帯電話機の開いた状態を示す斜視図である。図３は図1の携帯電話機における連結部近傍を示す概略断面図である。図4は図1の携帯電話機の第２筐体内におけるリード線の配置構造を示す斜視図である。
【００１１】
図１及び図２に示すように、この携帯電話機１００は、液晶表示装置や有機ＥＬ装置等からなる表示部１０６を有する第１筐体１１０と、テンキーやカーソルキー等からなる主操作部１０２を有する第２筐体１２０と、両筐体１１０，１２０を開閉可能に連結する連結部１０４とから構成され、両筐体１１０，１２０は互いに重ね合わせた閉状態において、第１筐体１１０が第２筐体１２０の主操作部１０２を覆うと共に、表示部１０６の表示面１０６ａを外側から見ることができるように、第１筐体１１０の第２筐体１２０側と反対の面１１１に表示部１０６を備えている。
【００１２】
なお、１０３は両筐体１１０，１２０の閉状態でも携帯電話機１００が持つ各種アプリケーションを起動、操作することができるようにするために第１筐体１１０及び第２筐体１２０の各側面１１３，１２３にそれぞれ設けられた補助的操作部、１０７は第１筐体１１０の表示部１０６を有する面１１１の先端部１１０ａ側に設けられたスピーカ、１０８は第２筐体１２０の主操作部１０２を有する面１２１の先端部１２０ａ側に設けられたマイク、１０５は第２筐体１２０の基端部１２０ｂ側に設けられたアンテナ、１０９は第２筐体１２０の第１筐体１１０側と反対の面１２２に設けられたカメラ部である。
【００１３】
また、前記連結部１０４は、図３に示すように、第１筐体１１０に結合され、第２筐体１２０と対向する面１１２側より突出する回転軸１４４と、第２筐体１２０の第１筐体と対向する面１２１側に結合され、前記回転軸１４４を回転可能に軸支する軸受部材１４５とを有し、両筐体１１０，１２０は、互いの重ね合わせ方向に沿う軸線Ｌを中心線とする回転軸１４４を基に回動可能に構成されている。
【００１４】
その為、第１筐体１１０と第２筐体１２０とが互いに重ね合わされた図１の閉状態から軸線Ｌを中心として前記第１筐体１１０を前記第２筐体１２０に対して矢印Ａ方向に１８０度回動させることにより、図２に示すように、第２筐体１２０に備える主操作部１０２が外側に露出する開状態とすることができ、この時、表示部１０６は主操作部１０２と略同じ方向を向いた状態で回動するため、開状態でも表示部１０６の表示面１０６ａを外側から見ることができるようになっている。
【００１５】
また、回転軸１４４には第１筐体１１０内と第２筐体１２０内とを各々連通させる連通孔１４４ａを備え、この連通孔１４４ａ内には複数本のリード線１３５を挿通させ、各リード線１３５の一端に備えるコネクタ（不図示）を、第１筐体１１０内に設けられた回路基板１１５に備えるコネクタ受部（接続部）１１６と接続すると共に、各リード線１３５の他端に備えるコネクタ１３７を第２筐体１２０内に設けられた回路基板１２５に備えるコネクタ受部（接続部）１２６と接続することにより、各筐体１１０，１２０内に具備する回路基板１１５，１２５同士を電気的に接続するようになっている。
【００１６】
さらに、各回路基板１１５，１２５上には、連通孔１４４ａの各開口部より延出された複数本のリード線１３５を各回路基板１１５，１２５上のコネクタ受部１１６，１２６へ各々導くにあたり、その途中で複数のリード線１３５がバラ付くことを防止するために、その道筋を規制する案内部材１５０，１６０を設けてある。
【００１７】
この案内部材１５０，１６０は、例えば、プラスチックや合成樹脂あるいは金属からなり、連通孔１４４ａの各開口部より延出された複数本のリード線１３５を各回路基板１１５，１２５上のコネクタ受部１１６，１２６へ所定の道筋で案内するための案内溝を有している。
【００１８】
ここで、各案内部材１５０，１６０は同様の機能を有するものであるため、その詳細について第２筐体１２０に備える案内部材１６０を例にとって説明する。
【００１９】
図４に示すように、案内部材１６０の案内溝１６１は、底板１６２と各箇所でリード線１３５を案内するための側壁１６３とから構成され、一部の側壁１６３の頂面には案内溝１６１側に突出する突起１６４を有し、案内溝開口部よりリード線１３５が飛び出してバラ付くことを防止するようになっている。
【００２０】
なお、案内部材１６０の底板下面には複数のピン（不図示）を備え、この各ピンを回路基板１２５に設けられた複数の孔にそれぞれ嵌入することで案内部材１６０を回路基板１２５の所定位置に位置決めすることができるようになっている。
【００２１】
また、この案内部材１６０には枠体１６５が一体的に形成してあり、この枠体１６５内にはカメラモジュール１０９ａが収納されるようになっている。なお、枠体１６５の頂面より上方に部分的に突出する凸部１６６には爪１６６ａを有し、前記カメラモジュール１０９ａを枠体１６５内に収容したとき、カメラモジュール側面に備える凹部１０９ｂに前記爪１６６ａが係合することで固定されるようになっている。なお、１３０はアンテナ１０５と電気的に接続され、回路基板１２５上に実装された無線部である。
【００２２】
次に、本発明の携帯電話機１００の動作について説明する。
【００２３】
図１に示す閉状態において、補助的操作部１０３を操作すれば、携帯電話機１００に搭載される各種のアプリケーション、例えば、電話帳機能やメール機能を起動させ、その機能を表示部１０６の表示面１０６ａに表示させて閲覧することができるようになっている。
【００２４】
次に、第１筐体１１０を第２筐体１２０に対して１８０度回動させた図２に示す開状態としたときには、主操作部１０２を操作することにより、携帯電話機に搭載される各種のアプリケーション、例えば、電話帳機能やメール機能を起動させ、その機能を表示部１０６の表示面１０６ａに表示させて閲覧することができると共に、主操作部１０２のテンキーより相手先の電話番号を入力したあと、発信ボタンを押下して通話可能状態とした状態で、第１筐体１１０の先端部に備えるスピーカ１０７を耳元に、また、第２筐体１２０の先端部に備えるマイク１０８を口元にそれぞれ近づけることで通話を行うことができる。
【００２５】
また、本発明によれば、連結部１０４に設けられた連通孔１４４ａの各開口部より延出される複数本のリード線１３５が各筐体１１０，１２０内に備える回路基板１１５，１２５との接続部１１６，１２６に至るまでの道筋を案内部材１５０，１６０によって規制、案内するようにしたことから、複数本のリード線１３５がバラ付くことがない。特に、第１筐体１１０が第２筐体１２０に対して回動する際に回転軸１４４の回転に伴って各リード線１３５がバラ付き易いが、この場合でも案内部材１５０，１６０によって規制されていることから、複数本のリード線１３５がバラ付くことがない。その為、各リード線１３５から輻射されるノイズが無線部１３０に与える影響を安定させることができるため、携帯電話機１００毎における送受信特性のバラツキを抑え、一定品質の製品を安定して提供することができると共に、設計時に各リード線１３５が通る道筋による無線部１３０への影響を考慮することで携帯電話機１００の送受信特性を向上させることができる。
【００２６】
また、複数のリード線１３５を予め案内部材１５０，１６０の案内溝１６１に通しておけば、携帯電話機１００の組み立て時におけるリード線１３５の取り回しや位置決め等が容易となり、組み立て作業性を向上させることもできる。
【００２７】
さらに、第２筐体１２０のように、カメラモジュール１０９ａのような位置決めを必要とする電気部品を搭載する場合、案内部材１６０に電気部品を収容する枠体１６５を設けておくことで、リード線１３５だけでなく電気部品も位置決めした状態で回路基板１２５上に容易に搭載することができるため、組み立て作業性をさらに向上させることもできる。
【００２８】
以上、本実施形態について説明したが、本発明は、上述した実施形態だけに限定されるものではなく、例えば、本実施形態では、無線部１３０が第２筐体１２０内に備える回路基板１２５上に実装された例を示したが、第１筐体１１０内に備える回路基板１１５上に実装された場合でも同様の効果を奏することができる。
【００２９】
また、案内部材１５０，１６０の形状については特に限定するものではなく、回路基板上の回路構成やその上に実装される部品の配置位置と、各リード１３５から輻射されるノイズが無線部１３０に与える影響を考慮して適宜選択して設計すれば良い。その為、本実施形態では、複数本のリード線１３５を一本の道筋によって案内するようにしたが、前記リード線１３５を二手以上に分けて案内するようにしても構わない。
【００３０】
さらに、本実施形態では、第１筐体１１０が第２筐体１２０に対して重ね合わせ方向に沿う軸線Ｌを中心として回動することで開閉するタイプの携帯電話機１００を例にとって説明したが、本発明はこのタイプの携帯電話機に限定されるものではなく、少なくとも２つの筐体が開閉可能に構成され、各筐体内に備える回路基板同士を複数本のリード線を介して電気的に接続するような構造を有する携帯電話機に有効であり、さらには携帯電話機に限らず、ＰＤＡ（Personal Digital Assistants）やノートパソコン等の携帯機器に適用しても同様の効果を奏することができる。
【図面の簡単な説明】
【００３１】
【図１】本発明の携帯機器の一例である携帯電話機の閉状態を示す図で、（ａ）は正面側から見た斜視図、（ｂ）は裏面側から見た斜視図である。
【図２】図1の携帯電話機の開いた状態を示す斜視図である。
【図３】図1の携帯電話機における連結部近傍を示す概略断面図である。
【図４】図1の携帯電話機の第２筐体内におけるリード線の配線状態を示す斜視図である。
【図５】従来の携帯電話機におけるリード線の配線状態を示す斜視図である。
【符号の説明】
【００３２】
１００    携帯電話機（携帯機器）
１０４    連結部
１１０    第１筐体
１１５    回路基板
１１６    コネクタ受部（接続部）
１２０    第２筐体
１２５    回路基板
１２６    コネクタ受部（接続部）
１３０    無線部
１３５    リード線
１４４    回転軸
１４５    軸受部材
１４４ａ  連通孔
１５０    案内部材
１６０    案内部材
１６１    案内溝
１６２    底板
１６３    側壁
１６４    突起
１６５    枠体
１６６    凸部
【図１】
2005101774.tif 000003
【図２】
2005101774.tif 000004
【図３】
2005101774.tif 000005
【図４】
2005101774.tif 000006
【図５】
2005101774.tif 000007